(57)【要約】【課題】キセノン管等が発光するフラッシュ光の発光色を被写界の色温度に応じた色に補正することができる発光部を備えた撮影装置を提供する。【解決手段】キセノン管１１６を備える第１の発光部と赤、青、緑の３つの発光ダイオード１１４ｒ，１１４ｇ，１１４ｂを備える第２の発光部を設ける。システム制御回路１１０が発光量制御手段１１２Ｂに指示を出してキセノン管１１６を発光させるとともに、発光量制御手段１１２Ａに指示を出して、色温度検出手段１４１が検出した色温度に応じた発光色にすべく３つの発光ダイオード１１４ｒ，１１４ｇ，１１４ｂのうちの少なくとも一つを発光させる。【選択図】図２
2007033745.tif 000002
【特許請求の範囲】
【請求項１】
撮影レンズと撮像素子とを備え、該撮影レンズで撮像素子に被写体を結像させ、該撮像素子で画像信号を生成する撮影を行なう撮影装置において、
前記撮像素子で生成した画像信号に基づいて被写界の色温度を検出する色温度検出部と、
被写体に向けてフラッシュ光を発光する、発光色調整不能な第１の発光部と、
被写体に向けて色温度が調整された光を発光する、発光色調整自在な第２の発光部と、
撮影に同期して、前記第１の発光部にフラッシュ光を発光させるとともに、前記第２の発光部に、前記フラッシュ光と合わせたときに前記色温度検出部で検出された色温度に応じた色の光が被写体に照射される色の光を発光させる発光制御部とを備えたことを特徴とする撮影装置。
【請求項２】
前記発光制御部は、今回の撮影による露光開始前から今回の撮影による露光開始後にかけて前記第２の発光部に発光させ、その後、露光中に前記第１の発光部を発光させるものであることを特徴とする請求項１記載の撮影装置。
【請求項３】
電力蓄積用のコンデンサを備え、前記第１の発光部および前記第２の発光部双方が該コンデンサに蓄積された電力の供給を受けて発光するものであることを特徴とする請求項１記載の撮影装置。
【請求項４】
前記発光制御部は、今回の撮影による露光期間中に、先ず前記第１の発光部に発光させ次いで前記第２の発光部に発光させるものであることを特徴とする請求項３記載の撮影装置。
【請求項５】
前記第２の発光部は、複数の色光それぞれを発光する複数の発光素子の集合からなるものであって、前記発光制御部は、前記第２の発光部に、前記複数の発光素子それぞれを順次に発光させるものであることを特徴とする請求項４記載の撮影装置。
【請求項６】
前記発光制御部は、前記第２の発光部に、今回の撮影において発光光量の大きい発光素子から順次に発光させるものであることを特徴とする請求項５記載の撮影装置。
【請求項７】
前記第１の発光部は、キセノン管を備え該キセノン管にフラッシュ光を発光させるものであることを請求項１記載の撮影装置。
【請求項８】
前記第２の発光部は、発光色調整自在な光を発光するＬＥＤを備え該ＬＥＤに光を発光させるものであることを特徴とする請求項１記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
撮影装置には撮影に同期して被写体に向けてフラッシュ光を発光する発光部を備えたものが多く、その発光部には遠くの被写体にまでフラッシュ光を到達させることができるようにキセノン管などの発光管が配備されることが多い。このキセノン管は、太陽光とほぼ同じ色温度に応じた色でフラッシュ光を発光することができる発光管として良く知られている。このキセノン管からフラッシュ光を発光させて撮影を行なうと実際に自分の眼で見た色合いとほぼ同じ色味を持つ画像が得られる。
【０００３】
しかしながら、曇天である場合にはたとえ室外であってもフラッシュ光を伴う撮影により得た画像の色味が少々現実の被写体の色味とは異なるように感じられることがある。このような傾向は、白熱ランプや蛍光灯が照明となって撮影が行なわれる室内撮影においてはなおさら顕著に現われる。
【０００４】
例えば照明側の光源が白熱ランプ（タングステン光）であった場合には、照明光の色がキセノン管から発光されたフラッシュ光の色温度よりも低い色温度の発光色（赤味がかった白色）になるため、フラッシュ光を伴う撮影により得た画像の色味が、白熱ランプ下にある被写体を実際に眼で見たときの色味とは異なるものになってしまう。
【０００５】
通常デジタルカメラにはホワイトバランス回路というものが配備されていてそのホワイトバランス回路により撮像素子が持つ各受光素子で受光した光を用いてホワイトバランスの調整が行なわれているので、このホワイトバランスを用いることで上記フラッシュ光の色温度と照明光の色温度との違いを解消することができれば何も問題はない。
【０００６】
しかしホワイトバランスは、晴天下、曇天下、タングステン光下、蛍光灯下など複数種類のホワイトバランスしか持っておらず、例えば自動モードであってもそれら複数種類のホワイトバランスのうちのいずれか一つ（被写体の色温度が近いもの）が選択されフラッシュ光発光前の被写体の色温度に近い色温度に応じたホワイトバランス処理が行なわれるだけである。そうすると、フラッシュ光発光前の白熱ランプの色温度に応じたホワイトバランス処理が行なわれるようになっているところに異なる色温度を持つフラッシュ光が発光されて撮影が行なわれることになってしまうため、撮影により得た画像の色味が白熱ランプ下にある被写体を実際に眼で見たときの色味とは異なるものになってしまう。
【０００７】
このような問題に対処するため、フラッシュ発光時においてはフラッシュ光の色温度に応じたホワイトバランスを予め行なうようにすることが考えられるが、フラッシュ光の色温度を予め設定してホワイトバランスを行なうようにしてしまうと、外光とフラッシュ光との双方が分布する環境下などにおいては撮影画像に色むらが発生してしまうという問題が出てくる。
【０００８】
もしもフラッシュ発光前のホワイトバランス調整時の被写界の色温度に応じた発光色でフラッシュ光を被写体に向けて発光させることができる発光管があれば適正なホワイトバランス処理が行なわれるようになるので上記問題は解決されるが、そのような発光管はどこを探しても見あたらない。
【０００９】
ところで青色発光ダイオードの開発により発光ダイオード（以下、ＬＥＤという）により白色も発光することができるようになってきたため、フラッシュ光を発光する発光素子としてＬＥＤを用いようとする動きが出てきている。このＬＥＤを用いようとする動きの中の一つに近接撮影を行なうときにＬＥＤを使って被写体を照明する技術が提案されている（例えば特許文献１参照）。この特許文献１の技術を用いると被写体の色温度に応じた発光色のフラッシュ光を自在に発光させることができる。
【００１０】
しかしながら、ＬＥＤの発光電力が小さいことから遠くの被写体にまで到達させるには多数のＬＥＤを並べて用いる必要（例えば特許文献２参照）があるため、コスト面、製作面の点からキセノン管等を用いた方が有利であると考える人が依然として多い。
【００１１】
しかし、キセノン管などの発光管を用いるとキセノン管の発光色をＬＥＤのように色温度に応じた発光色にすることはできない。
【特許文献１】特開２００３−２３３１０９号公報
【特許文献２】特開２００２−１１６４８１号公報
【発明の開示】
【発明が解決しようとする課題】
【００１２】
本発明は、上記事情に鑑み、キセノン管等が発光するフラッシュ光の発光色を照明の色温度に応じた色に補正することができる発光部を備えた撮影装置を提供することを目的とする。
【課題を解決するための手段】
【００１３】
上記目的を達成する本発明の撮影装置は、撮影レンズと撮像素子とを備え、その撮影レンズで撮像素子に被写体を結像させ、その撮像素子で画像信号を生成する撮影を行なう撮影装置において、
上記撮像素子で生成した画像信号に基づいて被写界の色温度を検出する色温度検出部と、
被写体に向けてフラッシュ光を発光する、発光色調整不能な第１の発光部と、
被写体に向けて色温度が調整された光を発光する、発光色調整自在な第２の発光部と、
撮影に同期して、上記第１の発光部にフラッシュ光を発光させるとともに、上記第２の発光部に、上記フラッシュ光と合わせたときに上記色温度検出部で検出された色温度に応じた色の光が被写体に照射される色の光を発光させる発光制御部とを備えたことを特徴とする。
【００１４】
上記本発明の撮影装置によれば、上記発光制御部が、上記第１の発光部にフラッシュ光を発光させるとともに、発光色調整自在な上記第２の発光部に、そのフラッシュ光と合わせたときに上記色温度検出部で検出された色温度に応じた色になる発光色の色光を発光させることができる。
【００１５】
すなわち、第１の発光部をキセノン管等であるとすると、キセノン管等が発光するフラッシュ光の発光色を照明の色温度に応じた色に補正することができる発光部を備えた撮影装置が実現される。
【００１６】
ここで、上記発光制御部は、今回の撮影による露光開始前から今回の撮影による露光開始後にかけて前記第２の発光部に発光させ、その後、露光中に上記第１の発光部を発光させるものであることが好ましい。
【００１７】
例えば上記発光制御部が、今回の撮影による露光開始前に上記第２の発光部に発光を開始することにより、赤目低減用の発光や測距用の補助光として上記第２の発光部の発光が用いられ、また上記第２の発光部の発光が露光開始後にも発光を継続することにより上記した様に色温度の補正用の発光としても用いられる。
【００１８】
また、電力蓄積用のコンデンサを備え、上記第１の発光部および上記第２の発光部双方がそのコンデンサに蓄積された電力の供給を受けて発光するものであることが好ましい。
【００１９】
そうすると、第１の発光部および第２の発光部の電源を個別に設けなくても双方の発光部の電源が上記電力蓄積用のコンデンサ一つで兼用される。
【００２０】
また上記発光制御部は、今回の撮影による露光期間中に、先ず上記第１の発光部に発光させ次いで上記第２の発光部に発光させるものであることが好ましい。
【００２１】
実際に上記第１の発光部と上記第２の発光部との双方をこの撮影装置に搭載することを考えると、上記第１の発光部と上記第２の発光部それぞれの耐圧が異なったり、動作電圧が異なったりする場合が出てくる。そのような場合には上記第１の発光部と上記第２の発光部を動作させるにあたって双方の発光部それぞれに個別に電源を別途設けなければならなくなるようなことが起こる。
【００２２】
そこで上記電力蓄積用のコンデンサの電極間に発生している電圧の大きさが時間の経過とともに変化することを用いることによって、先ず動作電圧が大きい側の上記第１の発光部に発光させ次いで動作電圧の小さな電圧でも済む上記第２の発光部に発光させるようにすると、電力供給の点で効率化が図られるとともに一つの電源で済むため、発光部の構成が簡易になり小型化が図られるようにもなる。
【００２３】
ここで上記第２の発光部は、複数の色光それぞれを発光する複数の発光素子の集合からなるものであって、上記発光制御部は、上記第２の発光部に、上記複数の発光素子それぞれを順次に発光させるものであることが好ましい。
【００２４】
上記したように発光部の構成を簡易にするため、上記コンデンサを第１の発光部と第２の発光部の電源として共通的に用いたときにもしも第２の発光部が複数の発光素子の集合からなるものであった場合には、上記複数の発光素子すべてを一斉に発光させるようにしてしまうと、色温度を補正するのに必要な発光色の光量が充分に得られなくなってしまう可能性がある。
【００２５】
そこで、先ずは色温度を補正するために必要な発光色を発光する発光素子を、コンデンサに充分な電力が蓄積されているうちに発光させるようにしておくと好適な色温度の補正が行なえる。
【００２６】
すなわち、上記発光制御部は、上記第２の発光部に、今回の撮影において発光光量の大きい発光素子から順次に発光させるものであることが好ましい。
【００２７】
このようにしておくと今回の撮影における色温度の違いが確実に解消されるとともに上記コンデンサの電力が有効に活用される。
【００２８】
ここで上記第１の発光部は、キセノン管を備えそのキセノン管にフラッシュ光を発光させるものであって、さらに、上記第２の発光部は、発光色調整自在な光を発光するＬＥＤを備えそのＬＥＤに光を発光させるものであると良い。
【００２９】
そうすると発光色調整不能なフラッシュ光がキセノン管から発光されたとしてもそのフラッシュ光を合わせたときにそのフラッシュ光の発光色が色温度に応じた発光色に補正される色の光が上記ＬＥＤから発光されるようになる。
【００３０】
また上記ＬＥＤが比較的廉価なものであることから上記第１の発光部に加えて上記第２の発光部をこの撮影装置に搭載したとしてもその撮影装置を製作するに要するコストを比較的廉価なものに抑えることができるという効果も得られる。
【発明の効果】
【００３１】
以上、説明したように、キセノン管等が発光するフラッシュ光の発光色を被写界の色温度に応じた色に補正することができる発光部を備えた撮影装置が実現される。
【発明を実施するための最良の形態】
【００３２】
以下、本発明の実施の形態について説明する。
【００３３】
図１は本発明の一実施形態であるデジタルカメラ１の外観を示す図である。
【００３４】
図１に示すデジタルカメラ１の正面中央にはレンズ鏡胴１００が備えられている。そのレンズ鏡胴１００内に撮影レンズ１０２１が内蔵されている。またそのレンズ鏡胴１００の上方にはファインダ１０１が備えられており、そのファインダ１０１の横には発光窓１０２が備えられている。この発光窓１０２からは、後述するシステム制御回路によってフラッシュ光の照射が必要であると判定された場合に被写体に向けてフラッシュ光が照射されるようになっている。
【００３５】
またカメラボディの上面部にはシャッタボタン１０４やモードダイヤル１０５、さらに単写／連写切替スイッチ１０６が備えられている。
【００３６】
図２は図１のデジタルカメラ１の内部の構成を示す構成ブロック図である。
【００３７】
図２を参照してデジタルカメラ１内部の構成を説明する。
【００３８】
本実施形態のデジタルカメラ１ではすべての処理がシステム制御回路１１０によって制御されている。このシステム制御回路１１０の入力部には図１に示したシャッタボタン１０４、モードダイヤル１０５，単写／連写切替スイッチ１０６等の操作子が接続されていてそれらの操作子のうちのいずれかの操作により操作信号がこのシステム制御回路１１０に供給されてくると、それらの操作子のうちのいずれかの操作に応じた処理が開始されるようになっている。
【００３９】
また図１には示していないが、本実施形態のデジタルカメラ１は、着脱自在な記憶媒体２００例えばメモリカードが媒体装填室１００Ａに装着されてその媒体装填室１００Ａに装填されたメモリカード２００に撮影画像を表わす画像データが記録されるようになっているので、記憶媒体であるメモリカードが媒体装填室１００Ａ内に装着されているかどうかを検知するための記憶媒体着脱検知手段が備えられている。さらに図１には図示されていないが、背面側には画像表示ＯＮ／ＯＦＦスイッチ１０７や背面側に備えられている表示パネルの表面を保護するための防護用扉の開閉を検知する画像表示部開閉検知手段１０９も備えられている。これらの記憶媒体着脱検知手段や画像表示ＯＮ／ＯＦＦスイッチ１０７や画像表示部開閉検知手段１０９それぞれからの信号もシステム制御回路１１０に供給されるようになっていてシステム制御回路１１０はそれらの信号を受けて処理を実行するようにもなっている。
【００４０】
またシステム制御回路１１０は、不図示のズームスイッチの操作に応じてズーム制御手段に指示して撮影レンズ１０２１の中のズームレンズを移動させたり、ＴＴＬ測距により得た測距結果に応じて測距制御手段に指示して撮影レンズの中のフォーカスレンズを移動させたりもしている。
【００４１】
さらに、システム制御回路１１０では、ＣＣＤ固体撮像素子１２０で生成された画像データに基づいてシステム制御回路１１０により上記ＴＴＬ測距とともにＴＴＬ測光が行なわれている。このＴＴＬ測光の測光結果に応じては、露光制御手段１０４０に指示してその露光制御手段に絞り１０４１の開口を調節させたり、さらに撮影時においては測光結果を基に第１の発光量制御手段１１２Ａに指示してキセノン管駆動回路１１５にキセノン管１１６を駆動させるとともにＬＥＤ駆動回路１１３に赤色光を発光するＬＥＤ１１４ｒ，緑色光を発光するＬＥＤ１１４ｇ，青色光を発光するＬＥＤ１１４ｂのうちの少なくとも一つを駆動させることによって、キセノン管１１６からのフラッシュ光と３つのＬＥＤのうちの少なくとも一つのＬＥＤからの色光とを合わせることによって色温度に応じた色のフラッシュ光を被写体に向けて照射させたりするようにもしている。
【００４２】
本発明においては、キセノン（Ｘｅ）管１１６が本発明にいう第１の発光部にあたり、３つの発光ダイオード１１４ｒ，１１４ｇ，１１４ｂが本発明にいう第２の発光部にあたる。周知の通り、キセノン（Ｘｅ）管の方は、発光色の調整が不能なフラッシュ光を発光するものであるので、その発光色の調整が不能なフラッシュ光に加えて、発光色調整自在なＬＥＤ３つのうちの少なくとも一つを発光させることによりフラッシュ光の発光色を色温度に応じた色に調整するようにしている
例えばフラッシュ光に合わせて３つの発光ダイオードのうちの青色光（Ｂ）を発光するダイオード１１４ｂを発光させることにより高い色温度に応じた発光色（青みかがった白色）にすることも、フラッシュ光に合わせて３つの発光ダイオードのうちの赤色光を発光させることにより低い色温度に応じた発光色（赤みがかった白色）にすることもできる。
【００４３】
このように各発光ダイオードの光の発光光量をそれぞれ個別に調節することができるようにしておくと、色温度検出部で検出された色温度に応じた発光色にフラッシュ光の発光色をいつでも調節することができる。
【００４４】
ここで、このような発光色調整不能なフラッシュ光を発光するキセノン管１１６と発光色調整自在な光を発光する発光ダイオード１１４という２つの発光部を持つデジタルカメラの撮影処理の概要を説明する。
【００４５】
本実施形態においては、デジタルカメラ１の電源スイッチが投入されると、不揮発性メモリ１１０１内の全体処理プログラムの手順にしたがってシステム制御回路１１０によりこのデジタルカメラ１００全体の動作が統括的に制御され撮影処理が開始される。この例では電池の消費電力を抑制するためにデジタルカメラ１００の電源スイッチ（不図示）が投入されシステム制御回路１１０（システム制御回路には電池からの電力が常に供給されている）により電源スイッチが投入されたことが検知されたときに初めて電池Ｂｔから電源制御手段１１１ｂを介して各ブロックに電力が供給されるようになっている。
【００４６】
まず、このように各部に電力が供給されて動作状態になったデジタルカメラの撮影処理に係る処理部の構成および動作を、図２を参照して簡単に説明する。
【００４７】
図２に示すように、図１に示すレンズ鏡胴１００内にはフォーカスレンズやズームレンズといった撮影レンズ１０２１、さらに光量調節用の絞り１０４１などが配備されている。またこの例においてはレンズを保護するレンズバリア１０１１が配備されている例が示されており、電源スイッチが投入されるとそのレンズバリア１０１１が解放されて図１に示すように撮影レンズ１０２１が表面に露出する構成になっている。
【００４８】
この電源スイッチが投入されたときにモードダイヤル１０５が撮影側に切り替えられていた場合には、まず表面に露出した撮影レンズ１０２１を通ってＣＣＤ固体撮影素子１２０に結像された被写体像が、タイミング発生回路１２１からのタイミング信号に基づいて所定の間隔ごと（３３ｍｓごと）に間引かれて出力される。その出力された画像信号がＡ／Ｄ変換回路１３０でアナログの画像信号からデジタルの画像信号に変換され、さらにデジタルの画像信号がメモリ制御部１１１ａの制御の基、画像処理回路１４０に導かれる。この画像処理回路１４０でＲＧＢの画像信号からＹＣ信号に変換され、さらにメモリ制御部１１１ａの制御の基、画像表示メモリ１５１に導かれてスルー画を表わす画像信号がその画像表示メモリ１５１内に記憶されるようになっている。この画像表示メモリ１５１内に記憶された１フレーム分の画像信号がメモリ制御部１１１ａにより読み出されてＤ／Ａ変換回路１６０に導かれアナログの画像信号に変換されてから画像表示部１５０に供給される。この例では、画像表示部１５０に所定の間隔ごとに新しい画像信号を供給することができるようにするために画像表示メモリ１５１を設けて、その画像表示メモリ１５１に少なくとも２フレーム分の画像信号を記憶することにより表示タイミングをうまく調整することができるようにしている。
【００４９】
また、本実施形態においては、ホワイトバランス調整やγ補正、さらに前述した様に測光や測距がシステム制御回路１１０で行なわれる例が示されていてＲＧＢのアナログ信号がそのシステム制御回路１１０に供給されると、そのシステム制御回路内でホワイトバランス調整やγ補正や測光や測距等が行なわれて絞り１０４１の開口制御やフォーカスレンズ（１０２１）の合焦点への配置制御が行なわれるようになっている。
【００５０】
ここで画像信号の流れとともに各部の動作を詳細に説明していく。
【００５１】
まずスルー画の画像信号の流れに沿って各部の動作を簡単に説明しておく。
【００５２】
タイミング発生回路１２１からのタイミング信号（例えば３３ｍｓごと）に応じて、撮影レンズ１０２０でＣＣＤ固体撮像素子１２０上の受光面に結像させた被写体像を表わす画像信号を後段のＡ／Ｄ変換回路１３０へと出力させる。このＡ／Ｄ変換回路１３０でアナログの画像信号からデジタルの画像信号に変換された画像信号が、メモリ制御部１１１ａの制御の基、画像処理回路１４０に導かれる。この画像処理回路１４０によってＲ色、Ｇ色、Ｂ色の各信号に分離されて色温度検出回路１４１に供給されたり、それらのＲ、Ｇ、Ｂの各色信号が色変換行列により表示用のＹＣ信号に変換されて後段の画像表示メモリ１５１に供給されたりする。Ｒ，Ｇ，Ｂの各色信号の方は後段の色温度検出回路１４１に供給されて各色温度の検出がこの色温度検出回路１４１により行なわれると、例えばシステム制御回路１１０内の各色アンプにその各色温度に応じたゲインが設定されてシステム制御回路１１０内で画像信号のホワイトバランス調整が行なわれる。このシステム制御回路１１０内でホワイトバランス調整が行なわれるときには、前述したように晴天下、曇天下、タングステン光下、蛍光灯下のうちのいずれか最も近い色温度になるように各色アンプのゲインが設定されてホワイトバランス調整が行なわれるようになっている。
【００５３】
またＹＣ信号の方は、画像表示メモリ１５１に供給され、画像表示メモリ１５１に供給され記憶される。この画像表示メモリ１５１には少なくとも２フレーム分の画像信号が記憶されるようになっており、２フレーム分の画像信号のうち、古い時刻に記憶された１フレーム分の画像信号がＤ／Ａ変換部１６０に導かれアナログ信号に変換されて画像表示部１５０に供給されスルー画が表示画面上に表示される。
【００５４】
前述したようにシステム制御回路１１０ではＴＴＬ測距が行なわれその測距結果に基づいて測距制御手段１０３０に指示して常に合焦点にフォーカスレンズ（１０２１）を配置させるようにしたり、また不図示のズームスイッチが操作されたときにはズーム制御手段１０２０に指示してそのズームスイッチの操作によるズーム倍率に応じた位置にズームレンズ（１０２１）を配置させるようにもしている。
【００５５】
このようにして常にピントのあった、ズームスイッチの操作位置に応じたズーム倍率のスルー画が表示されているときにシャッタボタン１０４が押されたら撮影処理が開始される。
【００５６】
システム制御回路１１０は、シャッタボタン１０４が押されたタイミングでタイミング発生回路１２１に露光開始信号をＣＣＤ固体撮像素子１２０に向けて供給させる。このときに測光結果によりフラッシュ光の発光が必要であるとシステム制御回路１１０が判定した場合には第１の発光量制御手段１１２Ａに指示してシャッタボタン１０４の押下に同期してキセノン管１１６にフラッシュ光を発光させるとともに、スルー画表示中に色温度検出回路１４１で検出した色温度に応じた色にそのフラッシュ光の発光色がなるように３つのＬＥＤのうちの少なくとも一つに光を発光させる。
【００５７】
本実施形態においては、上記色温度検出回路１４１により検出された色温度に応じた赤色光，緑色光，青色光それぞれの光量の比率が第１の発光量制御手段１１２Ａに通知されＬＥＤ駆動回路１１３によってその比率に応じて赤色光、緑色光、青色光を発光する各ＬＥＤのうちの少なくとも一つが駆動されるようになっているので、どのような色温度であってもその色温度に応じた色にフラッシュ光が補正されるように赤色光、緑色光、青色光のうちの少なくとも一つの色光が発光される。
【００５８】
このように発光色調整不能なキセノン管１１６から発光されたフラッシュ光と合わせたときに色温度検出部１４１により検出された色温度に応じた発光色になるように３つのＬＥＤのうちの少なくとも一つから発光されるようになると、後段のシステム制御回路１１０内のホワイトバランス調整部に、前述したように晴天下、曇天下、タングステン光、蛍光灯のいずれかの色温度に応じたゲインが各色アンプに設定されたとしても、それらのうちのいずれかの色温度に応じたフラッシュ光が被写体に向けて発光され撮影が行なわれるようになって好適なホワイトバランス調整が行なわれるようになる。
【００５９】
こうしてホワイトバランス調整が好適に行なわれるようなフラッシュ光を発光させた後、システム制御回路１１０は、タイミング発生回路１２１に指示を出して露光終了信号をＣＣＤ固体撮像素子１２０に向けて供給させる。
【００６０】
そうするとその露光終了信号に同期してＣＣＤ固体撮像素子１２０からＡ／Ｄ変換回路１３０に画像信号が出力される。このＡ／Ｄ変換回路１３０でＣＣＤ固体撮像素子１２０から出力されたアナログの画像信号がデジタルの画像信号に変換され、さらにこのデジタルの画像信号がメモリ制御部１１１ａに制御されバスを経由してメモリ１８０に供給される。そのメモリ１８０にＣＣＤ固体撮像素子１２０が備えるすべての画素からなる画像信号がすべて記憶されたら、今度はシステム制御回路１１０の制御の基、その画像信号が読み出されてシステム制御回路１１０で前述のホワイトバランス調整やガンマ補正などが行なわれる。さらにホワイトバランス調整やガンマ補正が行なわれた画像信号が、バスを介して画像処理回路１４０に供給されＹＣ信号への変換が行なわれた後、バスを介して圧縮・伸張回路１９０に供給されＹＣ信号からなる画像信号が圧縮されて記憶媒体２００ここではメモリカードに記憶される。
【００６１】
このようにすると、フラッシュ光の発光色をホワイトバランスに合わせることができるようになるので、好適なホワイトバランス調整がシステム制御回路内で行なわれて被写界が持つ色温度に応じた色味を持つ画像データが確実に得られるようになる。
【００６２】
なお、カメラボディ側面部にあるコネクタ１１０５にケーブルを介してアンテナ１１０１が接続されると外部との間で無線通信が行なえる通信手段や、操作内容をユーザに伝える表示部１１０２やメモリ１０３なども配備されている。
【００６３】
図３は、システム制御回路１１０が行なうフラッシュ光を伴う撮影処理の手順を示すフローチャートである。
【００６４】
図３には、撮影に同期して、キセノン管（本発明にいう第１の発光部）にフラッシュ光を発光させるとともに、ＬＥＤ（第２の発光部）に、そのフラッシュ光を合わせたときに色温度検出部１４０で検出された色温度に応じた色になる光を発光させる場合の処理手順が示されている。
【００６５】
ステップＳ３０１でシャッタボタン１０４が半押しされたかどうかを判定する。ここで、シャッタボタン１０４が半押しされていないと判定したらＮｏ側に進んでステップＳ３０１の処理を繰り返し行ない、シャッタボタン１０４が半押しされたと判定したらＹｅｓ側に進んでステップＳ３０２で、測距（ＡＦ）、測光（ＡＥ）、ホワイトバランス調整（ＡＷＢ）をそれぞれ行なう。
【００６６】
さらに次のステップＳ３０３へ進んで今度はシャッタボタン１０４が全押しされたかどうかを判定する。このステップＳ３０３でシャッタボタン１０４が全押しされていないと判定したらＮｏ側へ進んでステップの処理を繰り返し行ない、全押しされたと判定したらＹｅｓ側へ進んでステップＳ３０４でタイミング発生回路１２１に露光開始信号を供給させてＣＣＤ１２０に露光を開始させる。
【００６７】
さらに次のステップＳ３０５へ進んで、第１，第２の発光量制御手段１１２Ａ，１１２Ｂに指示してキセノン管１１６に発光を行なわせるとともに、赤、青、緑の３つのＬＥＤのうちの少なくとも一つに、キセノン管からのフラッシュ光が色温度検出回路により検出された色温度に応じた色になるように発光を行なわせる。
【００６８】
ここでは、フラッシュ光とともに各ＬＥＤ１１４ｒ，１１４ｇ，１１４ｂのうちの少なくとも一つを同時に発光させることによって、本来キセノン管が持つフラッシュ光の分光放射束に加えるようにその分光放射束の中の或る特定波長域の光（赤色光、緑色光、青色光のうちの少なくとも一つ）を発光させることによってフラッシュ光の発光色を赤みがかった白色（色温度が低い）にするであるとか、青みがかった白色（色温度が高い）にするであるとかという補正が行なわれている。
【００６９】
そして所定のシャッタ秒時を経たらステップＳ３０６でタイミング発生回路１２１からＣＣＤ１２０へ向けてタイミング信号を供給させＣＣＤ固体撮像素子１２０に露光を終了させてこのフローの処理を終了する。
【００７０】
このようにしてキセノン管等が発光するフラッシュ光の発光色を被写界の色温度に応じた色に補正することができる発光部を備えた撮影装置が実現される。
【００７１】
また、上記したようにキセノン管と３つのＬＥＤのうちの少なくとも一つを同時に発光させるようにしても良いが、今回の撮影による露光開始前から今回の撮影による露光開始後にかけて第２の発光部であるＬＥＤを継続的に発光させた後、露光中に第１の発光部を発光させるようにしても良い。このようにすると、ＬＥＤの発光をＡＦ補助光として活用したり、赤目低減用の発光として活用したりすることができるようになる。
【００７２】
図４は、今回の撮影による露光開始前から今回の撮影による露光開始後にかけてＬＥＤに継続的に発光させている最中にキセノン管を発光させるようにした場合の処理手順を示すフローチャートである。なお、図４の処理も図３と同様、システム制御回路１１０が行なう。
【００７３】
ステップＳ４０１でシャッタボタン１０４が半押しされたかどうかを判定する。ここで、ステップＳ４０１でシャッタボタン１０４が半押しされていないと判定したらＮｏ側に進んでステップＳ４０１の処理を繰り返し行ない、半押しされたと判定したらＹｅｓ側に進んでステップＳ４０２でホワイトバランス調整（ＡＷＢ）を行なう。このホワイトバランス調整を行なうにあたって、色温度検出回路１４１から被写界の色温度が通知されてきているので、ステップＳ４０３で第２の発光量制御手段１１２Ｂに指示してその色温度に応じた発光色にするために各ＬＥＤ１１４のうちの少なくとも一つを露光開始後にかけて継続的に発光させる。このようにしておくと撮影前にＬＥＤ１１４を発光させることになるので、ＬＥＤ１１４の発光を赤め低減用の発光やＡＦ補助光の発光として活用することができる。
【００７４】
次のステップＳ４０４へ進んでその発光を利用して測距（ＡＦ）を行なって次のステップＳ４０５でシャッタボタンの全押しを待つ。このステップＳ４０５で全押しされていないと判定したらステップＳ４０５を繰り返し行って、このステップＳ４０５で全押しされたと判定したらＹｅｓ側に進んで次のステップＳ４０６でタイミング発生回路１２１に指示してタイミング信号をＣＣＤ１２０に供給させＣＣＤ固体撮像素子１２０に露光を開始させる。所定の時間を経た後、次のステップＳ４０７へ進んで今度はキセノン管１１６にフラッシュ光を発光させる。さらにこのフラッシュ光を発光させてから所定の時間（シャッタ秒時）が経過したら次のステップＳ４０８へ進んでタイミング発生回路１２１に露光終了信号を供給させてＣＣＤ１２０に露光を終了させる。次のステップＳ４０９へ進んで各ＬＥＤ１１４ｒ，１１４ｇ，１１４ｂの発光を停止させた後、このフローの処理を終了する。
【００７５】
こうして第２の発光部（３つの発光ダイオード１１４ｒ，１１４ｇ，１１４ｂ）側の発光を、上記色温度の補正用として活用するほか、ＡＦ補助光としても活用したり、赤目低減用の発光としても活用したりするとＬＥＤの発光がより一層効果的に活用されるようになる。
【００７６】
図５は、別の実施形態を説明する図である。
【００７７】
図３に示すキセノン管駆動回路１１５とＬＥＤ駆動回路１１３とが一つの駆動回路１１３０になって、第１の発光量制御手段１１２Ａと第２の発光量制御手段１１２Ｂとが一つの発光量制御手段１１２になった以外は図３と同様の構成である。
【００７８】
図５には、キセノン（Ｘｅ）管１１６を駆動するＸｅ管駆動回路１１５の中に電力蓄積用のコンデンサＭＣが備えられていることを利用して、ＬＥＤ１１４側の発光もそのコンデンサＭＣに蓄積された電力を活用することができるように駆動回路１１３０を共通化した場合の構成が示されている。
【００７９】
図６は、その共通化した駆動回路１１３０の内部構成を説明する図である。
【００８０】
図６には、発光量制御回路１１２ＡによりスイッチＳＷを切り替えることにより、先ずキセノン管１１６に発光させ次いでＬＥＤ１１４ｒ，１１４ｇ，１１４ｂすべてを一斉に発光させるようにした場合の回路構成が示されている。
【００８１】
図６に示すように、駆動回路１１３０内には電力蓄積用のコンデンサＭＣが備えられているので、そのコンデンサＭＣからの電力の供給経路をキセノン管１１６側に切り替えたり、ＬＥＤ１１４側に切り替えたりする制御端子付きのスイッチＳＷが設けられている。この制御端子付きのスイッチＳＷは、単極３投のスイッチであって発光量制御回路１１２からの指示に応じて３つの接点Ｓ１，Ｓ２，Ｓ３のうちのいずれかの位置に切り替えられるようになっている。
【００８２】
この例においては、発光を行なうとき以外はコンデンサＭＣに充電を行なわなければならないので、スイッチＳＷを接点位置Ｓ２に切り替えておいて、電池ＢＴと昇圧回路１１２１Ａとからなる充電回路によりコンデンサＭＣを充電するようにしている。このときにコンデンサＭＣの充電状態が分からないと困るので、コンデンサＭＣの充電状態を検出するためにコンデンサＭＣの電極の電圧を検出回路１１２２により検出するようにしてコンデンサＭＣが満充電になっているかどうかを検出することができるようにもしてある。また、コンデンサＭＣの電圧が上昇して満充電に近くなるとコンデンサＭＣの電圧が昇圧回路１１２１側よりも高くなって昇圧回路１１２１側に電流が逆流してしまう恐れがあるので、昇圧回路１１２１の出力端にはカソード側がコンデンサ側になるようにしてダイオードＤ１が接続されている。
【００８３】
このようにして満充電になって満充電電圧が検出されているときに発光量制御回路１１２がシステム制御回路１１０から発光指示を受けたら、発光量制御回路１１２は、まずスイッチＳＷを接点Ｓ１側に切り替えてコンデンサＭＣ、キセノン管１１６、スイッチＳＷの経路で放電を開始させるようにしている。このときにはキセノン管１１６から効率よく発光が行なわれるように電極間に高電圧を供給すると同時にトリガコイルにトリガ信号を供給してキセノン管内を励起してキセノン管が素早く放電状態に遷移するようにしている。
【００８４】
さらにキセノン管に発光を行なわせた後、発光量制御回路１１２ＡがコンデンサＭＣに発生していた電圧の５０Ｖまでの低下を検出回路１１２２により検知したときに今度はスイッチＳＷを接点Ｓ３側に切り替えて残り僅かになったコンデンサの電力により発光ダイオードの発光を行なわせるようにしている。
【００８５】
このようにしておくと、１つのコンデンサによる電力供給によってキセノン管１１６と３つのＬＥＤ１１４ｒ，１１４ｇ，１１４ｂとを順次に発光させることができる。
【００８６】
図７は、そのコンデンサＭＣに発生した電圧の状態が時間の経過とともにどのように変化するかを説明する図である。横軸は時間であり、縦軸はコンデンサＭＣに発生する電圧の値であり、時間を示す横軸の最初の部分には充電に要した時間と発光待ちの時間とがそれぞれ示されている。
【００８７】
キセノン管１１６は、周知の通り、キセノン管のトリガコイルにトリガ信号を供給してキセノン管内部を励起すると同時にキセノン管の電極間に３００Ｖ以上の高電圧を加えないと、放電が起こらないため発光しない。一般にその高電圧（３００Ｖ）を発生するものとしてキセノン管を発光させるための駆動回路にはコンデンサＭＣが用いられているが、これに対しＬＥＤの動作電圧は５０Ｖと低い。
【００８８】
そこで図７に示す様に今回の撮影による露光期間中に、先ずキセノン（Ｘｅ）管を発光させコンデンサＭＣの電圧が低下してきて５０ＶになったときにＬＥＤ１１４に発光を行なわせるようにしている。
【００８９】
このようにしておくと、いままでであれば、キセノン管に加えても発光を維持することができないため切り捨てられていた５０Ｖ以下の電力がＬＥＤ側で効率よく活用されるようになる。
【００９０】
ここで、３つの発光ダイオード１１４ｒ，１１４ｇ，１１４ｂを一斉に発光させるようにすると、５０Ｖから除々に電圧が低下してきたときにある電圧のところで発光させるのに必要な電流が流れなくなってしまう。
【００９１】
そこで、さらにコンデンサＭＣに蓄積されていた電力をより効果的に用いることができるように複数の抵抗（Ｒ１，Ｒ２，Ｒ３，Ｒ４）のうちのいずれかに切り替えることができる構成にしてコンデンサＭＣに蓄積されていた電力をより効果的に活用することができるように変形した例を説明する。
【００９２】
図８は、コンデンサＭＣに蓄積されていた電力をより効果的に用いることができるように変形した例を説明する図である。図８（ａ）には、メインコンデンサＭＣの電圧が時間とともに低下してきたときに複数の抵抗Ｒ１〜Ｒ４を順次小さな抵抗値のものにスイッチＳＷ１により切り替えるようにしていって各ＬＥＤの電極間に印加される電圧を図８（ａ）に示すＬＥＤ発光領域に保つようにしたときの状態が示されており、図８（ｂ）には、図８（ａ）に示す状態を実現するための回路構成が示されている。
【００９３】
なお、図８（ａ），図８（ｂ）に示す抵抗の抵抗値の大きさには、Ｒ１＞Ｒ２＞Ｒ３＞Ｒ３の関係がある。
【００９４】
図８（ａ），（ｂ）に示すようにコンデンサＭＣの電圧が低下してきたときに複数の抵抗のうち、大きなもの（Ｒ１）から小さな値のもの（Ｒ４）の方に向かって順次に切り替えていくことによってＬＥＤ１１４ｒ，１１４ｇ，１１４ｂを一斉に発光させるのに必要な電極間の電圧を（図８（ａ）に示すＬＥＤ発光領域と示されている電圧が常時ＬＥＤに印加されることになる）常に確保することができるようにしている。
【００９５】
このようにしておくと、コンデンサＭＣに蓄積されていた電力が有効に活用されるとともにコンデンサの電圧が低下したとしてもＬＥＤの電極間に図８（ａ）に示すＬＥＤ発光領域の電圧が常に印加されるようになるので各ＬＥＤの発光光量が充分に確保されるようになってより効果的なフラッシュ光の発光色の補正が行なえるようになる。
【００９６】
ここで上記３つのＬＥＤ１１４ｒ，１１４ｇ，１１４ｂすべてを一斉に発光させるようにしてしまうと、フラッシュ光の発光色を補正するのに一番必要な発光色（赤色ｏｒ緑色ｏｒ青色）の発光光量が充分に得られなくなってしまうこともある。
【００９７】
そのようなことを考えてフラッシュ光の発光色を補正するために必要な発光色の発光光量を確保するために先ずは緑色で発光するＬＥＤ１１４ｇを発光させ次いで次のＬＥＤという風にコンデンサＭＣに充分な電力が蓄積されているうちに色補正に必要な光を発光させるようにしても良い。
【００９８】
図９は、今回の撮影において発光光量の大きいＬＥＤから順次に発光させるようにしたときの構成例を説明する図である。
【００９９】
図９（ａ）には、図７と同様の図が示されており、図９（ｂ）には、図８（ｂ）の構成に加えて切替スイッチＳＷ２を付加した場合の構成が示されている。
【０１００】
このような構成にしておくと、今回の撮影において発光光量の大きいＬＥＤ１１４ｇを先ずスイッチＳＷ２により選択して発光を行なわせた後、そのスイッチＳＷ２を切り替えていくことにより順次にＬＥＤ１１４ｒ、ＬＥＤ１１４ｂに発光を行なわせることができ、さらにメインコンデンサＭＣの電圧の低下にしたがってスイッチＳＷ１を小さな抵抗値の方へ切り替えていくことにより発光させているＬＥＤ（１１４ｒｏｒ１１４ｇｏｒ１１４ｂ）の電極間に印加される電圧を図８（ａ）に示す発光領域内に維持するようにして各ＬＥＤ１１４ｒ，１１４ｇ，１１４ｂが発光する光の発光光量をある程度確保することができる。
【０１０１】
言い換えれば、コンデンサＭＣにまだ電力の余力があるうちに最も補正に必要な発光色を持つＬＥＤ１１４ｒｏｒ１１４ｇｏｒ１１４ｂの発光を充分な発光光量で行なわせるとともに、あまりプライオリティは高くないが、発光しておくとより細かな補正が行なえる光を順次に発光させていって時間が経過してメインコンデンサの電圧が低下してきたとしても必要な光についてはある程度の発光光量が確保されるようになる。
【０１０２】
以上説明したように、キセノン管等が発光するフラッシュ光の発光色を被写界の色温度に応じた色に補正することができる発光部を備えた撮影装置が実現される。
【図面の簡単な説明】
【０１０３】
【図１】本発明の一実施形態であるデジタルカメラ１の外観を示す図である。
【図２】図１のデジタルカメラ１の内部の構成を示す構成ブロック図である。
【図３】システム制御回路１１０が行なうフラッシュ光を伴う撮影処理の手順を示すフローチャートである。
【図４】今回の撮影による露光開始前から今回の撮影による露光開始後にかけてＬＥＤに発光させ、その後、露光中にキセノン管を発光させるようにした場合の処理手順を示すフローチャートである。
【図５】別の実施形態を説明する図である。
【図６】図５に示す駆動回路１１３０内の構成を示す図である。
【図７】コンデンサに発生した電圧の状態が時間の経過とともに変化することを説明する図である。
【図８】コンデンサＭＣに蓄積されていた電力をより効果的に用いることができるように変形した例を説明する図である。
【図９】今回の撮影において発光光量の大きいＬＥＤから順次に発光させるようにしたときの構成例を説明する図である。
【符号の説明】
【０１０４】
１    デジタルカメラ
１００    レンズ鏡胴
１０１    ファインダ
１０２    発光窓
１０４    シャッタボタン
１０５    撮影モードダイヤル
１０６    単写／連写スイッチ
１０７    画像表示ＯＮ／ＯＦＦスイッチ
１１２  １１２Ａ    １１２Ｂ    発光量制御手段
１１２１    昇圧回路
１１２２    検出回路
１１３    ＬＥＤ駆動回路
１１３０    駆動回路
１１４    発光ダイオード
１１５    キセノン（Ｘｅ）管駆動回路
１１６    キセノン（Ｘｅ）管
ＭＣ    コンデンサ
Ｂｔ    バッテリ
ＳＷ  ＳＷ１  ＳＷ２  切替スイッチ
【図１】
2007033745.tif 000003
【図２】
2007033745.tif 000004
【図３】
2007033745.tif 000005
【図４】
2007033745.tif 000006
【図５】
2007033745.tif 000007
【図６】
2007033745.tif 000008
【図７】
2007033745.tif 000009
【図８】
2007033745.tif 000010
【図９】
2007033745.tif 000011